(57)【要約】【課題】コミュニケーション開始時に、関連するコンテンツを共有対象候補として提示でき、共有すべきコンテンツの選択を容易に行なうこと。【解決手段】共有コンテンツ保存手段に共有コンテンツを保存する際に、共有コンテンツを共有する第１、第２ユーザに関するユーザ識別情報を、共有コンテンツの保存場所に紐付けて記憶する共有コンテンツ情報記憶手段と、第１ユーザ端末と第２ユーザが使用する第２ユーザ端末との間でコミュニケーションを行なう際に、共有コンテンツ情報記憶手段を参照することにより、第１、第２ユーザのユーザ識別情報に紐付けて保存された共有コンテンツを特定し、特定された共有コンテンツの共有コンテンツリストを生成する共有コンテンツリスト生成手段と、生成した共有コンテンツリストを、第１ユーザ端末に送信して表示させる共有コンテンツリスト送信手段と、を備えたことを特徴とする。【選択図】  図１
2013008216.tif 000002
【特許請求の範囲】
【請求項１】
共有コンテンツ保存手段に共有コンテンツを保存する際に、前記共有コンテンツを共有する第１、第２ユーザに関するユーザ識別情報を、前記共有コンテンツの保存場所に紐付けて記憶する共有コンテンツ情報記憶手段と、
前記第１ユーザが使用する第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成手段と、
前記共有コンテンツリスト生成手段が生成した前記共有コンテンツリストを、前記第１ユーザ端末に送信して表示させる共有コンテンツリスト送信手段と、
を備えたことを特徴とする情報処理システム。
【請求項２】
前記共有コンテンツリストから前記第１ユーザが選択した共有コンテンツを前記共有コンテンツ保存手段から読出して、前記第１ユーザ端末および前記第２ユーザ端末に送信する共有コンテンツ送信手段をさらに有することを特徴とする請求項１に記載の情報処理システム。
【請求項３】
前記共有コンテンツ情報記憶手段は、前記共有コンテンツ保存手段から取得した共有コンテンツ保存通知に基づいて、前記共有コンテンツを共有する第１、第２ユーザに関するユーザ識別情報を、前記共有コンテンツの保存場所に紐付けて記憶することを特徴とする請求項１または２に記載の情報処理システム。
【請求項４】
共有コンテンツ保存手段に共有コンテンツを保存したことを前記第１ユーザ端末または前記第２ユーザ端末に通知する共有コンテンツ保存通知手段をさらに備えたことを特徴とする請求項１乃至３のいずれか１項に記載の情報処理システム。
【請求項５】
前記共有コンテンツ保存通知手段による通知用のユーザ識別子をコミュニケーションで利用する識別子に変換する変換手段をさらに有することを特徴とする請求項４に記載の情報処理システム。
【請求項６】
前記共有コンテンツリストに付加する共有コンテンツのサムネイルを取得するサムネイル取得手段をさらに有することを特徴とする請求項１乃至５のいずれか１項に記載の情報処理システム。
【請求項７】
前記共有コンテンツリスト生成手段は、
前記第１ユーザが使用する第１ユーザ端末からの指示により前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成することを特徴とする請求項１乃至６の何れか１項に記載の情報処理システム。
【請求項８】
共有コンテンツ保存手段に共有コンテンツを保存する際に、前記共有コンテンツを共有する第１、第２ユーザに関するユーザ識別情報を、前記共有コンテンツの保存場所に紐付けて共有コンテンツ情報記憶手段に記憶するコンテンツ情報記憶ステップと、
前記第１ユーザが使用する第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成ステップと、
前記共有コンテンツリスト生成ステップで生成した前記共有コンテンツリストを、前記第１ユーザ端末に送信して表示させる共有コンテンツリスト送信ステップと、
を備えたことを特徴とする情報処理方法。
【請求項９】
共有コンテンツ保存手段に共有コンテンツを保存する際に、前記共有コンテンツを共有する第１、第２ユーザに関するユーザ識別情報を、前記共有コンテンツの保存場所に紐付けて共有コンテンツ情報記憶手段に記憶するコンテンツ情報記憶ステップと、
前記第１ユーザが使用する第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成ステップと、
前記共有コンテンツリスト生成ステップで生成した前記共有コンテンツリストを、前記第１ユーザ端末に送信して表示させる共有コンテンツリスト送信ステップと、
をコンピュータに実行させたことを特徴とする情報処理プログラム。
【発明の詳細な説明】
【技術分野】
【０００１】
本発明は、コンテンツを共有する技術に関する。
【背景技術】
【０００２】
上記技術分野において、特許文献１には、動画や静止画などのコンテンツを共有し同時に閲覧する技術が開示されている。特許文献１に開示された技術では、コミュニケーションを行う際に、以下のようなステップ１〜３の流れで共有可能なコンテンツを提示する。
【０００３】
ステップ１．  あらかじめコミュニティを設定し、コミュニティにコンテンツと参加メンバを登録する。
【０００４】
ステップ２．  コミュニケーション開始時に、端末がコミュニケーション相手と自分の電話番号をコラボレーションコントローラに送信する。
【０００５】
ステップ３．  コラボレーションコントローラは、コミュニティの設定情報と受信した電話番号とを用いて、共通のコミュニティを特定し、コミュニティに登録されたコンテンツのリストを端末に送信する。
【０００６】
特許文献２では、ユーザが更新を知りたいコンテンツをチャンネルという形式で指定している。
【０００７】
特許文献３では、ユーザがグループを選択することで、コンテンツとの紐づけが行われる。
【先行技術文献】
【特許文献】
【０００８】
【特許文献１】特開２００７−５８６４４号公報
【特許文献２】特開２００９−２２３５５３号公報
【特許文献３】特開２００６−３０９５４６号公報
【発明の概要】
【発明が解決しようとする課題】
【０００９】
しかし、上記従来技術では、ユーザとコンテンツの紐づけに関し、紐づけされるユーザが自らコンテンツを選択しなければならない。またそのためには、選択時点でコンテンツが既に存在していなければならないし、ユーザはコンテンツとして何があるかをあらかじめ知っている必要がある。
【００１０】
特に特許文献２では、指定できるのは既に設定されているチャンネルであり、ユーザは各チャンネルの属性を知っている必要がある。言い換えると、まったく新規のコンテンツが追加された場合に、そのコンテンツが能動的に新たなコンテンツを探索しない限り、ユーザと紐づけられる契機はない。
【００１１】
また特許文献３でもユーザは各グループの属性やどのようなコンテンツがあるかを知る必要があり、また存在しないグループを選択することはできない。
【００１２】
本発明の目的は、上述の課題を解決する技術を提供することにある。
【課題を解決するための手段】
【００１３】
上記目的を達成するため、本発明に係る情報処理装置は、
共有コンテンツ保存手段に共有コンテンツを保存する際に、前記共有コンテンツを共有する第１、第２ユーザに関するユーザ識別情報を、前記共有コンテンツの保存場所に紐付けて記憶する共有コンテンツ情報記憶手段と、
前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成手段と、
前記共有コンテンツリスト生成手段が生成した前記共有コンテンツリストを、前記第１ユーザ端末に送信して表示させる共有コンテンツリスト送信手段と、
を備えたことを特徴とする。
【００１４】
上記目的を達成するため、本発明に係る方法は、
共有コンテンツ保存手段に共有コンテンツを保存する際に、前記共有コンテンツを共有する第１、第２ユーザに関するユーザ識別情報を、前記共有コンテンツの保存場所に紐付けて共有コンテンツ情報記憶手段に記憶するコンテンツ情報記憶ステップと、
前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成ステップと、
前記共有コンテンツリスト生成ステップで生成した前記共有コンテンツリストを、前記第１ユーザ端末に送信して表示させる共有コンテンツリスト送信ステップと、
を備えたことを特徴とする。
【００１５】
上記目的を達成するため、本発明に係るプログラムは、
共有コンテンツ保存手段に共有コンテンツを保存する際に、前記共有コンテンツを共有する第１、第２ユーザに関するユーザ識別情報を、前記共有コンテンツの保存場所に紐付けて共有コンテンツ情報記憶手段に記憶するコンテンツ情報記憶ステップと、
前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成ステップと、
前記共有コンテンツリスト生成ステップで生成した前記共有コンテンツリストを、前記第１ユーザ端末に送信して表示させる共有コンテンツリスト送信ステップと、
をコンピュータに実行させたことを特徴とする。
【発明の効果】
【００１６】
本発明によれば、コミュニケーション開始時に、関連するコンテンツを共有対象候補として提示でき、共有すべきコンテンツの選択を非常に容易に行なうことができる。
【図面の簡単な説明】
【００１７】
【図１】本発明の第１実施形態に係る情報処理システムの構成を示すブロック図である。
【図２】本発明の第２実施形態に係る情報処理システムの構成を示すブロック図である。
【図３】本発明の第２実施形態に係る情報処理システムの動作を示すフローチャートである。
【図４】本発明の第２実施形態に係る情報処理システムの動作を示すフローチャートである。
【図５】本発明の第２実施形態に係る情報処理システムの動作を示すフローチャートである。
【図６】本発明の第３実施形態に係る情報処理システムの構成を示すブロック図である。
【図７】本発明の第３実施形態に係る情報処理システムの動作を示すフローチャートである。
【図８】本発明の第３実施形態に係る情報処理システムの動作を示すフローチャートである。
【図９】本発明の第４実施形態に係る情報処理システムの構成を示すブロック図である。
【図１０】本発明の第４実施形態に係る情報処理システムの構成を説明するための図である。
【図１１】本発明の第４実施形態に係る情報処理システムの構成を説明するための図である。
【図１２】本発明の第４実施形態に係る情報処理システムの構成を説明するための図である。
【図１３】本発明の第４実施形態に係る情報処理システムの構成を説明するための図である。
【発明を実施するための形態】
【００１８】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１９】
［第１実施形態］
本発明の第１実施形態としての情報処理システム１００について、図１を用いて説明する。情報処理システム１００は、共有コンテンツに関するリストを生成して送信するシステムである。
【００２０】
図１に示すように、情報処理システム１００は、共有コンテンツ情報記憶部１０１と、共有コンテンツリスト生成部１０２と、共有コンテンツリスト送信部１０３とを含み、共有コンテンツ保存部１２０、第１ユーザ端末１３０および第２ユーザ端末１４０と、通信可能である。
【００２１】
共有コンテンツ情報記憶部１０１は、共有コンテンツ保存部１２０に共有コンテンツを保存する際に、共有コンテンツを共有する第１、第２ユーザに関するユーザ識別情報を、共有コンテンツの保存場所に紐付けて記憶する。
【００２２】
共有コンテンツリスト生成部１０２は、第１ユーザ端末１３０と第２ユーザが使用する第２ユーザ端末１４０との間でコミュニケーションを行なう際に、共有コンテンツ情報記憶部１０１を参照することにより、第１、第２ユーザのユーザ識別情報に紐付けて保存された共有コンテンツを特定し、特定された共有コンテンツの共有コンテンツリストを生成する。
【００２３】
共有コンテンツリスト送信部１０３は、共有コンテンツリスト生成部１０２が生成した共有コンテンツリストを、第１ユーザ端末に送信して表示させる。
【００２４】
以上の構成により、コミュニケーション開始時に、関連するコンテンツを共有対象候補として提示でき、共有すべきコンテンツの選択を非常に容易に行なうことができる。
【００２５】
［第２実施形態］
次に本発明の第２実施形態に係る情報処理システムについて、図２を用いて説明する。図２は、本実施形態に係る情報処理システム２００の機能構成を説明するための図である。
【００２６】
情報処理システム２００は、端末装置２０１とコミュニケーションサーバ２０２とコンテンツ保存サーバ２０４とを備えている。ここで、端末装置２０１はユーザがコミュニケーションに利用する装置であり、携帯電話やパソコンなどである。
【００２７】
端末装置２０１は、データ処理部２１０を備え、データ処理部２１０は、コミュニケーション部２１１と、コンテンツ候補提示部２１２と、連絡先情報通知部２１３と、コンテンツアップロード部２１４とを備えている。
【００２８】
端末装置２０１のコミュニケーション部２１１は、コンテンツ保存サーバ２０４に保存されたコンテンツを共有する相手を特定するためのものである。コミュニケーション部２１１が開始ユーザと相手ユーザの識別子をコミュニケーションサーバ２０２に通知する。相手ユーザは１人でも２人以上でもよい。
【００２９】
コンテンツ候補提示部２１２はコミュニケーション時にコミュニケーションサーバ２０２より通知された共有すべきコンテンツの候補をユーザに提示する。
【００３０】
連絡先情報通知部２１３はユーザが保有する他者の連絡先の情報をコミュニケーションサーバ２０２に通知する。ここでは端末装置２０１上に連絡先情報通知部２１３が存在するが、コミュニケーションに利用する装置とは別の装置に連絡先情報通知部を設けてもよい。また通知する連絡先の情報は通知時に逐次入力してもよいし、端末内に保存されたアドレス帳などから取得してもよい。
【００３１】
コンテンツアップロード部２１４は動画や写真等のコンテンツをコンテンツ保存サーバ２０４にアップロードする。ここでは端末装置２０１上にコンテンツアップロード部２１４が存在しているが、コミュニケーションに利用する装置とは別の装置にコンテンツアップロード装置が存在してもよい。
【００３２】
コミュニケーションサーバ２０２は、ユーザが端末装置２０１を利用してコンテンツを共有するコミュニケーションを行う際に、コンテンツの選択をサポーツするサーバ装置である。コミュニケーションサーバ２０２は、コミュニケーション開始時に発信ユーザと相手ユーザの識別子から、共有コンテンツ保存通知に基づいて関連するコンテンツを判定し、候補として提示する。
【００３３】
コミュニケーションサーバ２０２は、データ処理部２２０と記憶部２３０とを備えている。データ処理部２２０は、候補コンテンツ判定部２２１と、コンテンツ保存通知受信部２２２と、連絡先情報受信部２２３と、ＩＤ変換部２２４と、サムネイル取得部２２５とを備えている。また、記憶部２３０は、コンテンツ情報記憶部２３１と、連絡先情報記憶部２３２とを備えている。
【００３４】
候補コンテンツ判定部２２１は、コミュニケーションの相手に応じて、共有するコンテンツの候補を判定し、端末装置２０１に通知する。候補コンテンツ判定部２２１は、コンテンツ情報記憶部２３１に保存された関連情報を元にコンテンツ候補リストを作成する。
【００３５】
コンテンツ保存通知受信部２２２は、ユーザがコンテンツ保存サーバ２０４にコンテンツを保存した際に、コンテンツ保存サーバ２０４が送信するコンテンツ保存の連絡通知（コンテンツ保存通知）を受信する。連絡先情報受信部２２３は、端末装置２０１の連絡先情報通知部２１３から連絡先情報を受信する。
【００３６】
ＩＤ変換部２２４は、コンテンツ保存通知部２４２からコンテンツ保存通知受信部２２２を介して受け取ったコンテンツ保存通知からコンテンツの識別子とユーザの識別子とを関連付けるように変換し、コンテンツ情報記憶部２３１に保存する。言い換えれば、ＩＤ変換部２２４は、連絡先情報受信部２２３が受信した情報のうちコンテンツの共有相手の情報をコミュニケーション時に利用するユーザ識別子に変換し、コンテンツを特定する識別子と共にコンテンツ情報記憶部２３１に保存する。
【００３７】
サムネイル取得部２２５は、コンテンツ情報記憶部２３１に保存されたコンテンツ閲覧のための識別子に基づき、コンテンツのサムネイルをコンテンツ保存サーバ２０４のコンテンツ送受信部２４１から取得する。
【００３８】
連絡先情報受信部２２３は端末装置２０１の連絡先情報通知部２１３から連絡先情報を受信し、連絡先情報記憶部２３２に保存する。
【００３９】
コンテンツ保存サーバ２０４はユーザがコンテンツを保存し、限定された他者と共有するためのサーバ装置である。コンテンツ保存サーバ２０４は、データ処理部２４０と、記憶部２５０とを備えている。データ処理部２４０は、コンテンツ送受信部２４１と、コンテンツ保存通知部２４２とを備えている。記憶部２５０は、コンテンツ保存部２５１を備えている。コンテンツ送受信部２４１は、端末装置２０１のコンテンツアップロード部２１４からコンテンツを受信し、受信したコンテンツをコンテンツ保存部２５１に保存する。同時に、受信したコンテンツのサムネイルを生成しサムネイル取得部２２５に送信する。
【００４０】
コンテンツ保存通知部２４２は、ユーザがコンテンツをコンテンツ保存サーバ２０４に保存する際に、コンテンツ保存通知をコミュニケーションサーバ２０２のコンテンツ保存通知受信部２２２に通知する。コンテンツ保存通知部２４２は、コンテンツ保存時に指定されたコンテンツの共有を連絡する相手とコミュニケーションサーバ２０２に対し、共有したいコンテンツの情報を送信する。
【００４１】
コンテンツ送受信部２４１は端末装置２０１から送信されたコンテンツを受信し、コンテンツ保存部２５１に保存する。
【００４２】
次に、図３〜５のフローチャートを参照して、本実施の形態の動作について説明する。図３は共有コンテンツを保存する動作、図４はコミュニケーション開始時の動作、図５は連絡先情報登録時の動作を示すフローチャートである。
【００４３】
最初に共有コンテンツを保存する際の動作について説明する。ユーザが端末装置２０１を操作して共有コンテンツの保存指示を行なうと、端末装置２０１のコンテンツアップロード部２１４は、コンテンツ保存サーバ２０４に対してコンテンツをアップロードする（ステップＳ３０１）。
【００４４】
コンテンツを受信したコンテンツ保存サーバ２０４は受信したコンテンツをコンテンツ保存部２５１に保存し、保存したコンテンツを閲覧するための識別子を発行する。識別子の例としてはＵＲＩがある。
【００４５】
次にユーザはアップロードしたコンテンツを閲覧して欲しい人に対して発行された識別子を通知する。この通知はコンテンツ保存サーバ２０４が持つコンテンツ保存通知部２４２を利用してもよいし、コンテンツ保存サーバ２０４がそのような機能を持たない場合には、発行された識別子をユーザが独自に電子メールなど一般的な通信方法で通知してもよい。
【００４６】
このコンテンツ保存通知の際に、閲覧を希望する相手だけでなく、コミュニケーションサーバ２０２に対してもコンテンツを閲覧するための識別子とを共有コンテンツの保存を通知した相手の識別子とを通知する（ステップＳ３０３）。
【００４７】
この通知はコンテンツ保存サーバ２０４がコミュニケーションサーバ２０２に対する特別な通信として行ってもよいし、他の閲覧希望相手に対する通知と同様の方式で行ってもよい。例えば共有コンテンツ保存通知を電子メールで同報する場合、コミュニケーションサーバ２０２があらかじめ払いだした通知用の電子メールアドレスを同報に含めればよい。そうして、コンテンツを閲覧するための識別子だけでなく、同報相手としてコンテンツ共有を通知した相手の識別子もコミュニケーションサーバ２０２のコンテンツ保存通知受信部２２２に通知する。
【００４８】
コンテンツ保存通知受信部２２２が通知を受信すると、ＩＤ変換部２２４が連絡先情報記憶部２３２に保存された連絡先の情報に基づき、コンテンツ共有を通知した相手の識別子および共有コンテンツを保存したユーザの識別子を、コミュニケーション開始時に相手を指定するための識別子に変換する（ステップＳ３０５）。コミュニケーション開始時に相手を指定するための識別子としては、電話番号以外にもインターネット上のサービスのID(例 Skype ID)が考えられる。
【００４９】
変換後、ＩＤ変換部２２４はコンテンツを閲覧するための識別子と、共有コンテンツを保存したユーザの識別子、共有コンテンツの保存を通知されたユーザの識別子を紐づけてコンテンツ情報記憶部２３１に保存する（Ｓ３０７）。
【００５０】
次にコミュニケーション開始時の動作について説明する。図４を参照すると、ユーザがコミュニケーションを開始するためにコミュニケーション部２１１で相手を指定すると（ステップＳ４０１）、コミュニケーション部２１１が開始ユーザと相手ユーザの識別子をコミュニケーションサーバ２０２に通知する（ステップＳ４０３）。この通知はコミュニケーションサーバ２０２が図２には記載のないコミュニケーション確立のための手段を保有することで、コミュニケーションの相手とのセッション確立の処理の一部として行ってもよい。通知を受信した候補コンテンツ判定部２２１は、コンテンツ情報記憶部２３１が持つ共有コンテンツと保存者、および共有を通知された相手の情報を利用して、コミュニケーションで共有するコンテンツの候補のリストを作成する（ステップＳ４０５）。
【００５１】
例えば開始ユーザと相手ユーザの両方が紐づけられたコンテンツを候補としてもよいし、開始ユーザが相手ユーザに対し共有を通知したコンテンツだけを候補としてもよい。また相手ユーザに関係なく、開始ユーザが保存したコンテンツを候補としてもよい。
【００５２】
このリストにはコンテンツを閲覧するための識別子だけでなく、識別子を元にサムネイル取得部２２５がコンテンツ保存サーバ２０４から取得したサムネイルを含んでもよい。
【００５３】
サムネイル取得部２２５のサムネイル取得タイミングは、リスト作成時でもよいし、コンテンツ情報記憶部に識別子が保存された後の任意のタイミングでもよい。候補コンテンツ判定部２２１が作成された候補コンテンツリストを端末装置２０１に送信すると、受信したコンテンツ候補提示部２１２がリストを表示する（ステップＳ４０７）。リストにサムネイルが含まれる場合はサムネイルを含む形で表示してもよい。またリストにサムネイルが含まれない場合には、コンテンツ閲覧のための識別子に基づき、コンテンツ候補提示部２１２が動的にコンテンツ保存サーバ２０４にアクセスしてサムネイルを取得してもよい。
【００５４】
開始ユーザがリストからコンテンツを選択することで、コミュニケーション部２１１がコンテンツ保存サーバ２０４から選択したコンテンツを取得して、コミュニケーションが開始され、コンテンツが相手と共有される（ステップＳ４０９）。
【００５５】
次に連絡先情報登録時の動作を説明する。図５を参照すると、ユーザが連絡先情報通知部２１３から自分が保有する連絡先情報をコミュニケーションサーバ２０２に送信する（ステップＳ５０１）。連絡先情報には氏名と電話番号などのコミュニケーションで相手を指定する識別子、電子メールアドレスなどそれ以外の識別子が含まれる。連絡先情報を取得した連絡先情報受信部２２３は、連絡先情報を受信して連絡先情報記憶部２３２に保存する（Ｓ５０３）。連絡先情報登録の動作は任意のタイミングで実行される。また端末装置２０１が持つアドレス帳のバックアップやサーバでのアドレス帳の集中管理など他のサービスの一環として行ってもよい。
【００５６】
本実施の形態では、コンテンツ公開を通知した相手とのコミュニケーションにおいて、公開を通知したコンテンツを共有候補として提示するため、コンテンツ保存サーバ２０４に保存されたコンテンツが大量にある場合でも、共有したいコンテンツを容易に指定できる。
【００５７】
［第３実施形態］
次に本発明の第３実施形態に係る情報処理システムについて、図６乃至８を用いて説明する。図６は、本実施形態に係る情報処理システムの機能構成を説明するための図である。
【００５８】
図６を参照すると、本実施形態におけるコミュニケーションサーバ６０２は、図２に示された、コミュニケーションサーバ２０２にコンテンツ保存サーバ２０４が融合したものである。具体的にはコミュニケーションサーバ６０２において、データ処理部６２０にコンテンツ送受信部２４１と、コンテンツ保存通知部２４２が追加され、サムネイル取得部２２５と、コンテンツ保存通知受信部２２２が削除されている。また記憶部６３０にコンテンツ保存部２５１が追加されている。その他の構成および動作は、第２実施形態と同様であるため、同じ構成および動作については同じ符号を付してその詳しい説明を省略する。
【００５９】
コンテンツ保存通知部６４２はコンテンツ保存通知部２４２と同一だが、コミュニケーションサーバ６０２内に存在するため、ＩＤ変換部２２４に対してコンテンツ公開を通知されたユーザの識別子と公開したコンテンツ閲覧のための識別子を直接通知する。
【００６０】
本実施の形態の動作を、図７、８を参照して詳細に説明する。第２実施形態の動作に比較して、図５で示された連絡先情報登録の動作は同一である。
【００６１】
ステップＳ３０３では公開したコンテンツを閲覧するための識別子を閲覧して欲しい相手に通知する際にコミュニケーションサーバに対しても通知していたが、ステップＳ７０３では公開したユーザが識別子を通知する作業がコミュニケーションサーバで行われるため、サーバ間での通知は行われない。
【００６２】
図８で示されたコミュニケーション開始時の動作を参照すると、図４と比較して、ステップＳ４０１〜Ｓ４０７で示される動作は第１実施形態の動作と同一である。ただし、Ｓ４０９では共有するコンテンツをコンテンツ保存サーバ２０４から取得するが、ステップＳ８０９ではコミュニケーションサーバ６０２から共有コンテンツを取得する。
【００６３】
本実施の形態では、コミュニケーションサーバでコンテンツ公開時の通知を行うため、コンテンツ保存サーバからの通知の受信と解析が不要となり、確実にコンテンツの公開を通知した相手を把握することが可能になる。
【００６４】
［第４実施形態］
本発明の第４実施形態にかかる情報処理システム９００について、図９乃至図１３を用いて説明する。本実施形態では、端末装置としての携帯電話９０１、９０２とコミュニケーションサーバとしてのコンテンツシェアリングサーバ９０３と、コンテンツ保存サーバとしてのオンラインアルバムサーバ９０４を含み、いずれの装置もデータ処理装置として中央演算装置とメモリを、記憶装置としてハードディスクを含む。その他の構成については、第１実施形態と同様である。
【００６５】
携帯電話９０１、９０２、コンテンツシェアリングサーバ９０３、オンラインアルバムサーバ９０４はメモリ上のコンピュータプログラムを中央演算装置で実行することにより各手段として機能する。携帯電話９０１とコンテンツシェアリングサーバは携帯電話事業者が運用するネットワーク９０５に接続され、オンラインアルバムサーバはインターネット９０６に接続されている。２つのネットワーク９０５、９０６は接続されているため、すべての装置は相互に通信が可能である。
【００６６】
ユーザＡの携帯電話９０１のアドレス帳に友人のユーザＢの情報として「氏名＝鈴木一郎、電話番号＝０８０ＡＡＡＢＢＢ、メールアドレス＝ｓｕｚｕｋｉ＠ｅｘａｍｐｌｅ．ｃｏｍ」が登録されている。図５のステップＳ５０１で説明したように登録されているアドレス帳の情報は携帯電話事業者のアドレス帳バックアップサービスでコンテンツシェアリングサーバ９０３に送信される。
【００６７】
コンテンツシェアリングサーバ９０３では、図５のステップＳ５０３で説明したように、アドレス帳の持ち主であるユーザＡの電話番号「０９０ＸＸＸＹＹＹＹ」と合わせて、受信した情報を図１０のテーブル１００１で管理する。またユーザＡはあらかじめコンテンツ公開を通知するためのユーザＡ専用のメールアドレスをコンテンツシェアリングサーバ９０３から発行してもらう。発行されたメールアドレス「ｎｏｔｉｆｙ−ＸＹＺ０００１＠ｔｅｌｅｃｏｍ．ｃｏｍ」も、発行先のユーザＡの電話番号と合わせて図１０のように管理される。
【００６８】
図３のステップＳ３０１で説明したように、ユーザＡが携帯電話で撮影した写真を公開するためにオンラインアルバムサーバ９０４にアップロードする。オンラインアルバムサーバ９０４はアップロードされた写真を保存し、写真にアクセスするためのＵＲＬ「ｈｔｔｐ：／／ｈａｋｏｎｅ．ｏｎｌｉｎｅａｌｂｕｍ．ｃｏｍ」を発行する。ユーザＡはＵＲＬを写真に写っているユーザＢに通知するために、オンラインアルバムサーバ９０４が提供するＵＲＬ通知サービスの通知先に、ユーザＢのアドレス「ｓｕｚｕｋｉ＠ｅｘａｍｐｌｅ．ｃｏｍ」とコンテンツシェアリングサーバ９０３から発行されたメールアドレス「ｎｏｔｉｆｙ−ＸＹＺ０００１＠ｔｅｌｅｃｏｍ．ｃｏｍ」とを指定する。
【００６９】
図３のステップＳ３０３に示したようにオンラインアルバムサーバ９０４は図１２に示すメール１２０１をユーザＢおよびコンテンツシェアリングサーバ９０３に送信する。
【００７０】
さらに図３のステップＳ３０５で説明したように、メール１２０１を受信したコンテンツシェアリングサーバ９０３は、メール１２０１のＴｏ、Ｃｃのアドレス情報を図１１の情報と照合して電話番号に変換する。図３のステップＳ３０７で説明したように、そして、メールの本文に記載された写真にアクセス可能なＵＲＬ（ここではHttp://hakone.onlinealbum.com）と共に図１１のテーブル１１０１のように管理する。
【００７１】
図４のステップＳ４０１で説明したように、ユーザＡがユーザＢと通話中にコンテンツをリアルタイムに共有するためにコンテンツシェアリングを開始しようとする。すると、図４のステップＳ４０３で説明したように、ユーザＡの携帯電話９０１は、ユーザＡの電話番号とユーザＢの電話番号とをコンテンツシェアリングサーバ９０３に通知する。
【００７２】
図４のステップＳ４０５で説明したように、コンテンツシェアリングサーバ９０３は図１０のように管理されたテーブル１００１の中から、ユーザＡとユーザＢの電話番号が含まれるデータのリストを作成する。図１１に示したテーブル１１０１のみがリストに抽出されたため、コンテンツシェアリングサーバ９０３は本データをユーザＡの携帯電話に送信する。
【００７３】
図４のステップＳ４０７で説明したように、ユーザＡの携帯電話９０１では受信したデータを表示する（図１２）。ユーザＡがｈｔｔｐ：／／ｈａｋｏｎｅ．ｏｎｌｉｎｅａｌｂｕｍ．ｃｏｍへのリンクをクリックすると、ユーザＡがオンラインアルバムサーバ９０４から写真を取得し、ユーザＢの携帯電話９０２に送信することで共有が完了する（図４のステップＳ４０９）。
【００７４】
このようにすることで、ユーザＡがユーザＢと通話中にコンテンツの共有のために行なう操作を極めて簡便化することができる。
【００７５】
［他の実施形態］
以上、本発明の実施形態について詳述したが、それぞれの実施形態に含まれる別々の特徴を如何様に組み合わせたシステムまたは装置も、本発明の範疇に含まれる。
【００７６】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ（Ｗｏｒｌｄ  Ｗｉｄｅ  Ｗｅｂ）サーバも、本発明の範疇に含まれる。
【００７７】
［実施形態の他の表現］
上記の実施形態の一部または全部は、以下の付記のようにも記載されうるが、以下には限られない。
（付記１）
共有コンテンツ保存手段に共有コンテンツを保存する際に、前記共有コンテンツを共有する第１、第２ユーザに関するユーザ識別情報を、前記共有コンテンツの保存場所に紐付けて記憶する共有コンテンツ情報記憶手段と、
前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成手段と、
前記共有コンテンツリスト生成手段が生成した前記共有コンテンツリストを、前記第１ユーザ端末に送信して表示させる共有コンテンツリスト送信手段と、
を備えたことを特徴とする情報処理システム。
（付記２）
前記共有コンテンツリストから前記第１ユーザが選択した共有コンテンツを前記共有コンテンツ保存手段から読出して、前記第１ユーザ端末および前記第２ユーザ端末に送信する共有コンテンツ送信手段をさらに有することを特徴とする付記１に記載の情報処理システム。
（付記３）
前記共有コンテンツ情報記憶手段は、前記共有コンテンツ保存手段から取得した共有コンテンツ保存通知に基づいて、前記共有コンテンツを共有する第１、第２ユーザに関するユーザ識別情報を、前記共有コンテンツの保存場所に紐付けて記憶することを特徴とする付記１または２に記載の情報処理システム。
（付記４）
共有コンテンツ保存手段に共有コンテンツを保存したことを前記第１ユーザ端末または前記第２ユーザ端末に通知する共有コンテンツ保存通知手段をさらに備えたことを特徴とする付記１乃至３のいずれか１項に記載の情報処理システム。
（付記５）
前記共有コンテンツ保存通知手段による通知用のユーザ識別子をコミュニケーションで利用する識別子に変換する変換手段をさらに有することを特徴とする付記４に記載の情報処理システム。
（付記６）
前記共有コンテンツリストに付加する共有コンテンツのサムネイルを取得するサムネイル取得手段をさらに有することを特徴とする付記１乃至５のいずれか１項に記載の情報処理システム。
（付記７）
前記共有コンテンツリスト生成手段は、
前記第１ユーザが使用する第１ユーザ端末からの指示により前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成することを特徴とする情報処理システム。
（付記８）
共有コンテンツ保存手段に共有コンテンツを保存する際に、前記共有コンテンツを共有する第１、第２ユーザに関するユーザ識別情報を、前記共有コンテンツの保存場所に紐付けて共有コンテンツ情報記憶手段に記憶するコンテンツ情報記憶ステップと、
前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成ステップと、
前記共有コンテンツリスト生成ステップで生成した前記共有コンテンツリストを、前記第１ユーザ端末に送信して表示させる共有コンテンツリスト送信ステップと、
を備えたことを特徴とする情報処理方法。
（付記９）
共有コンテンツ保存手段に共有コンテンツを保存する際に、前記共有コンテンツを共有する第１、第２ユーザに関するユーザ識別情報を、前記共有コンテンツの保存場所に紐付けて共有コンテンツ情報記憶手段に記憶するコンテンツ情報記憶ステップと、
前記第１ユーザ端末と前記第２ユーザが使用する第２ユーザ端末との間でコミュニケーションを行なう際に、前記共有コンテンツ情報記憶手段を参照することにより、前記第１、第２ユーザのユーザ識別情報に紐付けて保存された前記共有コンテンツを特定し、特定された共有コンテンツの共有コンテンツリストを生成する共有コンテンツリスト生成ステップと、
前記共有コンテンツリスト生成ステップで生成した前記共有コンテンツリストを、前記第１ユーザ端末に送信して表示させる共有コンテンツリスト送信ステップと、
をコンピュータに事項させたことを特徴とする情報処理プログラム。
【図１】
2013008216.tif 000003
【図２】
2013008216.tif 000004
【図３】
2013008216.tif 000005
【図４】
2013008216.tif 000006
【図５】
2013008216.tif 000007
【図６】
2013008216.tif 000008
【図７】
2013008216.tif 000009
【図８】
2013008216.tif 000010
【図９】
2013008216.tif 000011
【図１０】
2013008216.tif 000012
【図１１】
2013008216.tif 000013
【図１２】
2013008216.tif 000014
【図１３】
2013008216.tif 000015